(57)【特許請求の範囲】
【請求項１】
ＩＣカードを通じて使用料に対する資金振替が行えるようＩＣカードを読出すＩＣカード読出し部と、
計量器の運用メニュー及び処理結果を使用者にディスプレイするディスプレイ部と、
計量器の運用メニューを選択する機能キーと数字キー及び資金振替処理キーを具備し、前記キーを通じて使用者の入力を受け入れるキーパッド部と、
公共サービス機関及び金融機関とのデータ送受信のための通信モジュールと、
公共サービス機関及び金融機関から通信網を通じた計量器の遠隔制御及び運用プログラムを保存するメモリ部と、
使用料算出及び電子的資金振替のため、前記メモリ部のプログラムを実行し、前記ＩＣカード読出し部、ディスプレイ部、キーパッド部、メモリ部及び通信モジュールを制御する計量器制御部とを含み、
さらに、前記メモリ部の運用プログラムは、使用料を算出、記録する使用料算出及び記録手段と、電子的に資金振替を処理する電子的資金振替手段と、使用者の保安を維持し、かつ計量器の自体点検を行う保安維持及び自体点検手段とを含むことを特徴とする電子的資金振替計量器。
【請求項２】
電子的資金振替計量器を用いた資金振替方法において、
カードの入力されたか否かをチェックする段階と、
カードのパスワードと計量器のパスワードとが一致するか否かをチェックする段階と、
使用料支払を処理する段階と、
付加価値通信網と通信して該当金額を処理した結果を画面にディスプレイする段階と、
使用者の保安を維持し、かつ計量器の自体点検を行う段階とを含むことを特徴とする電子的資金振替計量器の処理方法。
【請求項３】
前記使用料支払を処理する段階は、使用料支払日であるかをチェックし、使用料支払日であれば今月分の使用料を画面に表示する段階と、使用料支払日でなければ先月に使用料を支払ったか否かをチェックする段階と、先月に使用料を支払ったら現在までの使用料を画面に表示する段階と、先月に使用料を支払わなかったら先月分の使用料に延滞料を加算して画面に表示する段階とを含むことを特徴とする請求項２に記載の電子的資金振替計量器の処理方法。
【発明の詳細な説明】
【０００１】
【発明の属する技術分野】
本発明は計量器に係り、特に期間別使用量計測、使用料算出及び使用料金表示機能を提供する以外に、ＩＣカードを用いた資金振替機能を有する電子的資金振替計量器及び資金振替方法に関する。
【０００２】
【従来の技術】
現在、各種の公共料金測定計量器（電気、ガス、水道など）は単に使用量を計算するための累積カウンタより構成されている。消費者は前記累積カウンタより使用量はわかるが、使用した量に対する料金はわからない。そして、使用料金納付手続きは次の通りである。まず、公共サービス機関の測定要員が一定期間別に消費者が使用した量を測定したり遠隔検針を施す。その後、測定したデータを電算処理できるように電算資料化して使用量を使用料金に換算し、使用料金に対する個別的な請求書を消費者に送る。消費者は前記請求書の請求内訳を確認し、指定された期限内に銀行の窓口を通じて個別的に料金を納める。
【０００３】
前述したように、現在の公共料金測定計量器は単に使用量だけを表示する累積カウンタのみより構成されているので、毎月個別的な使用料金を請求するためには前記のような多くの運営要員と諸段階の処理手続が必要である。また、公共料金測定計量器に対する点検及び自体診断機能が不十分である。即ち、測定計量器に部分的な欠陥やエラーが生じた場合、遠隔で異常有無を点検したり調整し得る方法がないため、多くの点検要員を配置して定期的な個別点検を行わなければいけない。
【０００４】
そして、使用料金の請求及び納付手続上の問題点がある。即ち、現在の公共使用料の請求及び納付手続上の複雑性によって指定された使用料納付期限内に請求書が発給されないことや、届かないこともあり、請求書が消費者に届ける過程中に紛失される場合には請求書を再発給すべきであり、且つ使用料金を指定された期限内に納めない場合は延滞料を支払うべき不便さがあった。
【０００５】
【発明が解決しようとする課題】
本発明は、前述した計量器使用上の問題点を解決するために創出されたものであって、現在の公共料金運営体系と公共料金測定計量器を改善して公共サービス機関の公共料金運用の効率性を向上させ、消費者の利用便利性を図るために、期間別使用量計測、使用料算出及び使用料金表示機能を提供する上に、ＩＣカードを用いた資金振替機能を有する電子的資金振替計量器及び資金振替方法を提供することにその目的がある。
【０００６】
【課題を解決するための手段】
上記の目的を達成するために本発明に係る電子的資金振替計量器は、ＩＣカードを通じて使用料に対する資金振替が行えるようにＩＣカードを読出すＩＣカード読出し部と、計量器の運用メニュー及び処理結果を使用者にディスプレイするディスプレイ部と、計量器の運用メニューを選択する機能キーと数字キー及び資金振替処理キーを具備し、前記キーを通じて使用者の入力を受け入れるキーパッド部と、公共サービス機関及び金融機関とのデータ送受信のための通信モジュールと、公共サービス機関及び金融機関から通信網を通じた計量器の遠隔制御及び運用プログラムを保存するメモリ部と、前記ＩＣカード読出し部、ディスプレイ部、キーパッド部、メモリ部及び通信モジュールを制御し、前記メモリ部に保存されたプログラムを実行する計量器制御部とを含むことが望ましい。
【０００７】
そして、前記メモリ部の運用プログラムは使用料を算出し、記録する使用料算出及び記録手段と、電子的に資金振替を処理する電子的資金振替手段及び使用者の保安を維持し、かつ計量器の自体点検を行う保安維持及び自体点検手段とよりなる。
【０００８】
上記の他の目的を達成するために電子的資金振替計量器を用いた資金振替方法は、カードの入力されたか否かをチェックする段階と、カードのパスワードと計量器のパスワードとが一致するか否かをチェックする段階と、使用料支払を処理する段階と、付加価値通信網と通信して該当金額を処理した結果を画面にディスプレイする段階とを含むことが望ましい。
【０００９】
そして、前記使用料支払を処理する段階は使用料支払日であるかをチェックし、使用料支払日であれば今月分の使用料を画面に表示する段階と、使用料支払日でなければ先月に使用料を支払ったかチェックする段階と、先月に使用料を支払ったら現在までの使用料を画面に表示する段階と、先月に使用料を支払わなかったら先月分の使用料に延滞料を加算して画面に表示する段階とを含む。
【００１０】
【発明の実施の形態】
以下、添付した図面に基づき本発明の好ましい実施の形態を詳細に説明する。
現在の公共料金測定計量器を用いた使用料処理体系上の問題点を解決するための電子的資金振替計量器を構成するためには、まず、期間別使用量と料金を計算して普遍化しつつある先払い、直払い、後払いカードの資金振替処理機能を果たし得る計量器が普及すべきであり、且つこの計量器は既存の公衆電話線や特定専用線（ＰＳＴＮ、ＩＳＤＮ）ネットワークを通じて該当公共機関（公共サービス機関、金融機関）などの中央制御システムと相互連結されて消費者が便利に利用できるように構成されるべきである。
【００１１】
図１は本発明が適用される全体的なシステム構成図の一例を示したものであって、前記全体的なシステムは、ＩＣカード１００、電子的資金振替計量器１１０、該当金融機関の中央システム１２０、公共サービス機関の中央システム１３０よりなる。ＩＣカード１００は漸次普及しつつある先払い、直払い、後払いカードであって、磁気カードより大きい記憶容量と保安性を有する。電子的資金振替計量器１１０は期間別使用量と料金を計算して前記ＩＣカードの資金振替処理機能を行い、既存の公衆電話線や特定専用線（ＰＳＴＮ、ＩＳＤＮ）ネットワークを通じて該当公共機関（公共サービス機関、金融機関）などの中央システムと相互連結されている。
【００１２】
該当金融機関の中央システム１２０は該当金融機関を通じて使用料金を振り替えるために前記電子的資金振替計量器１１０とＰＳＴＮやＩＳＤＮネットワークを通じて連結されており、また前記資金振替に対する情報及び使用料金の収納を管理するために公共サービス機関の中央システム１３０とも前記ＰＳＴＮやＩＳＤＮを通じて連結されている。公共サービス機関の中央システム１３０は電気安全公社、水資源公社、ガス公社などの公共サービス機関に設けられた中央制御システムを言い、ＰＳＴＮ及びＩＳＤＮネットワークを通じて情報を共有する。
【００１３】
図２は本発明に係る電子的資金振替計量器の一実施の形態に対するブロック図であって、ＩＣカード読出し部２００、ＬＣＤモジュール２１０、計量器制御部２２０、キーパッド部２３０、メモリ部２４０、直流電源供給部２５０及び通信モジュール２６０よりなる。
【００１４】
前記ＩＣカード読出し部２００は国際標準ＩＣカード規格に応じたインタフェース装置であって、ＩＣカードを通じて使用料に対する資金振替が行えるようにＩＣカードを読出す。前記ＬＣＤモジュール２１０はディスプレイ部であって、計量器の運用メニュー及び処理結果を使用者にディスプレイする。前記キーパッド部２３０は計量器の運用メニューを選択する機能キーと数字キー及び資金振替処理キーを具備し、前記キーを通じて使用者の入力を受ける。前記通信モジュール２６０はモデムを利用して電話線及び専用線を通じて公共サービス機関及び金融機関とのデータの送受信を行う。
【００１５】
前記メモリ部２４０は公共サービス機関及び金融機関から通信網を通じた計量器の遠隔制御及び運用プログラムを保存し、前記運用プログラムを修正または補完するための記憶領域を提供する。前記計量器制御部２２０は電子的資金振替計量器を全体的に総括制御するブロックであって、前記ＩＣカード読出し部２００、ＬＣＤモジュール２１０、キーパッド部２３０、メモリ部２４０及び通信モジュール２６０を制御し、前記メモリ部２４０に保存された運用プログラムを実行し、内部的にＲＯＭ ２２２、ＲＡＭ ２２４及びコントローラ２２６を含む。直流電源供給部２５０は交流電源を入力として前記計量器に必要な直流電源を供給する。
【００１６】
そして、前記メモリ部２４０に保存される公共サービス機関から通信網を通じた計量器の遠隔制御及び運用プログラムは使用料の算出及び記録機能、電子的資金振替機能及び保安維持及び自体点検機能を有する。
前記使用料の算出及び記録機能は、計量器の毎月使用量を算出（基本料金、節税金、延滞料など）して記録し、先月分の使用量及び料金に対する累計を記録できるように構成して使用料支払期限内に支払が完了しなかった場合は延滞料計算方法によって延滞料を自動的に計算して表示する機能である。
【００１７】
そして、前記電子的資金振替機能は、使用料の支払期間には使用料金及び支払状態を自体表示画面に出力し、使用者の支払が完了したら計量器の使用量及び料金をクリアしながら資金振替状況を知らせるべきであり、一定期間の間の取引及び処理内訳を照会できる機能である。
【００１８】
また、保安維持及び自体点検機能は、使用料支払を処理する過程で金融機関のシステムがダウンされたり公共サービス機関の中央システムに通信障害が生じた場合には通信障害状況を知らせ、カードの保安維持及び処理内訳、バックアップ、自体点検機能を行う機能である。
【００１９】
図３は計量器の取付及び初期化過程を示した流れ図であって、これを説明すれば次の通りである。まず、計量器のパスワードが指定されているかチェックし（段階３００）、パスワードが指定されていればパスワードを変更するかをチェックする（段階３１０）。
仮に、パスワードが指定されていないとカードが入力されたかをチェックし（段階３２０）、入力されたら計量器内の初期データの保存されている全てのメモリをクリアする（段階３３０）。その後、初期値を設定する（段階３４０）。前記初期化は次の通りである。計量器を取り付ける日付、既使用した量（計量器を取り付ける前の使用量）、カードのパスワードを計測器のパスワードと設定、延滞料設定比率を設定、基本料、使用料支払日の日付設定などである。
【００２０】
上記のように計量器の初期値が設定されたら、前記計量器の運用及び処理過程を流れ図で示した図４を参照してその運用及び処理過程を説明する。まず、ＩＣカード読出し部２００を通じてカードが入力されたかをチェックし（段階４００）、カードが入力されたらキーパッド部２３０を通じてカードのパスワードを入力し、カードのパスワードと計量器のパスワードとが一致するかをチェックする（段階４１０）。
【００２１】
パスワードが一致すれば使用料支払日であるかをチェックし（段階４２０）、支払日であれば今月分の使用料に対する金額を換算した後、これを画面に表示し（段階４６０）、仮に使用料支払日でなければ、先月に使用料を支払ったかをチェックし（段階４３０）、使用料を支払わなかったら先月分の使用料に延滞料を加算した金額を計算した後、これをＬＣＤモジュール２１０を通じて画面に表示し（段階４５０）、仮に使用料を支払ったら現在までの使用料を画面に表示し（段階４４０）終了する。一方、前記段階４５０及び段階４６０で画面に表示された料金を支払うかチェックし（段階４７０）、支払う場合は通信モジュール２６０を用いて付加価値通信網を通じて銀行と通信して該当金額を処理した後、画面に処理結果を表示し（段階４８０）終了する。仮に料金を支払わない場合は直ぐ終了する。
【００２２】
【発明の効果】
本発明によれば、単なる使用量測定のための計量器を期間別使用量計測及び使用料算出、使用料金表示機能と漸次普遍化されつつあるＩＣカードを用いた電子的資金振替機能を有する計量器を構成して既存の公衆電話線や特定専用回線を利用して該当機関（公共サービス、金融）が相互連結されたネットワークシステムを具現することによって、公共機関などの運営人数を減らすことができ、より効率の高い公共資金運用及び消費者の利用便利性を図ることができる。
【図面の簡単な説明】
【図１】  本発明が適用される全体的なシステム構成図の一例を示したものである。
【図２】  本発明に係る電子的資金振替計量器の一実施の形態を示したブロック図である。
【図３】  本発明に係る電子的資金振替計量器の取付け及び初期化過程を示した流れ図である。
【図４】  本発明に係る電子的資金振替計量器の運用及び処理過程を示した流れ図である。
【符号の説明】
１００  ＩＣカード
１１０  電子的資金振替計量器
２００  ＩＣカード読出し部
２１０  ＬＣＤモジュール（ディスプレイ部）
２２０  計量器制御部
２３０  キーパッド部
２４０  メモリ部
２６０  通信モジュール
【図１】
0003853048.tif 000002
【図２】
0003853048.tif 000003
【図３】
0003853048.tif 000004
【図４】
0003853048.tif 000005